(57)【特許請求の範囲】
【請求項１】
複数の記憶ディスクをそれらの軸線が互いにほぼ一致するように所定の間隔でカセット内に保持するとともに、前記カセットを外ケース内に収納するようにした記憶ディスク収納ケースにおいて、
前記カセットの記憶ディスクの軸線方向と平行な外側壁の内側に該外側壁の内表面上から内方に突出して、収納される最大数の記憶ディスクの数よりも１つだけ多いリブを前記記憶ディスクの直径方向と平行に形成し、該リブ間が案内溝となり、該案内溝によって記憶ディスクの周縁部を受入れて保持するようになし、
前記カセットの外側壁であって前記記憶ディスクの軸線方向の中間位置が該カセットの幅方向に変形するのを防止するために前記外側壁の中間位置の外表面上に前記記憶ディスクの直径と平行であって縦方向に延びる複数の縦溝を形成し、該縦溝間を縦リブとし、
前記カセットの上部開口の周縁部の外側に横リブを形成するとともに、前記縦リブの上端を前記横リブと近接または連続させ、
前記カセットの外側壁の前記縦リブが形成された中間部の幅方向の寸法を両端側の幅方向の寸法より大きくしたことを特徴とする記憶ディスク収納ケース。
【請求項２】
前記カセットの外側壁の内側に前記記憶ディスクの外周部を受入れる案内溝が形成されるとともに、前記案内溝に対応して前記外側壁の外側に前記案内溝と同一のピッチで前記縦リブが形成されることを特徴とする請求項１に記載の記憶ディスク収納ケース。
【請求項３】
前記記憶ディスクが基板上に磁性層を形成したハードディスクであることを特徴とする請求項１または請求項２に記載の記憶ディスク収納ケース。
【請求項４】
前記記憶ディスクの基板がガラスであることを特徴とする請求項１〜請求項３の何れかに記載の記憶ディスク収納ケース。
【発明の詳細な説明】
【０００１】
【発明の属する技術分野】
本発明は記憶ディスク収納ケースに係り、とくに複数の記憶ディスクをそれらの軸線が互いにほぼ一致するように配列して収納する記憶ディスク収納ケースに関する。
【０００２】
【従来の技術】
コンピュータの記録媒体としてハードディスクが広く用いられている。ハードディスクはアルミニウム基板やガラス基板の上に磁性層を薄膜によって形成したものであって、磁気ヘッドによって電磁誘導または磁気誘導の原理を応用して情報の読書きを行なうものである。
【０００３】
このようなハードディスクの製造過程において、上記円板状をなすハードディスクまたはその中間製品をそれらの軸線が互いに一致するようにカセット内に収納するとともに、このカセットをさらに外側ケース内に収納して物流に供し、あるいはまた工程間での搬送を行なう。
【０００４】
【発明が解決しようとする課題】
このような従来のハードディスクの収納ケースにおいて、とくに１つのケース内に収納されるハードディスクあるいはその中間製品の数を増やす場合には、収納されるハードディスクの軸線方向に寸法の大きなカセットや外ケースが用いられる。ここでハードディスクを物流に供する場合には、中を真空引きした状態で外ケースの外側をフィルムにくるんで行なう。
【０００５】
従って内部が負圧になるために外ケースおよびカセットに対して大気圧が加わり、とくに軸線方向に長いために外ケースの側板が内側へ変形する。すなわち両端は短辺側の側板によって内側へ変形されるのが防止されるが、外ケースおよびカセットの中間部分が幅方向に変形する問題がある。とくにカセットが幅方向に変形し、その中間部分が内側へ変形すると収納されているハードディスクに不測に力が加わり、これによってハードディスクが変形し、不良品となる可能性がある。外ケースから取出したカセットをロボットのチャッキングアームで挟着した場合にも同様の問題がある。
【０００６】
本発明はこのような問題点に鑑みてなされたものであって、とくに内部を真空引きして負圧の状態で搬送する際に、あるいはカセットをチャッキングアームで挟着する際に、カセットあるいは外ケースの幅方向の側面が内側に変形することが防止されるようにした記憶ディスク収納ケースを提供することを目的とする。
【０００７】
【課題を解決するための手段】
本願の主要な発明は、複数の記憶ディスクをそれらの軸線が互いにほぼ一致するように所定の間隔でカセット内に保持するとともに、前記カセットを外ケース内に収納するようにした記憶ディスク収納ケースにおいて、
前記カセットの記憶ディスクの軸線方向と平行な外側壁の内側に該外側壁の内表面上から内方に突出して、収納される最大数の記憶ディスクの数よりも１つだけ多いリブを前記記憶ディスクの直径方向と平行に形成し、該リブ間が案内溝となり、該案内溝によって記憶ディスクの周縁部を受入れて保持するようになし、
前記カセットの外側壁であって前記記憶ディスクの軸線方向の中間位置が該カセットの幅方向に変形するのを防止するために前記外側壁の中間位置の外表面上に前記記憶ディスクの直径と平行であって縦方向に延びる複数の縦溝を形成し、該縦溝間を縦リブとし、
前記カセットの上部開口の周縁部の外側に横リブを形成するとともに、前記縦リブの上端を前記横リブと近接または連続させ、
前記カセットの外側壁の前記縦リブが形成された中間部の幅方向の寸法を両端側の幅方向の寸法より大きくしたことを特徴とする記憶ディスク収納ケースに関するものである。
【０００８】
ここで前記カセットの外側壁の内側に前記記憶ディスクの外周部を受入れる案内溝が形成されるとともに、前記案内溝に対応して前記外側壁の外側に前記案内溝と同一のピッチで前記縦リブが形成されてよい。また前記記憶ディスクが基板上に磁性層を形成したハードディスクであってよい。また前記記憶ディスクの基板がガラスであってよい。
【０００９】
上記の主要な発明に係る記憶ディスク収納ケースによれば、とくにカセットの外側壁であって記憶ディスクの軸線方向の中間位置に記憶ディスクの直径方向と平行であって縦方向に延びる複数の縦リブが所定の間隔で設けられる。このような複数の縦リブによって、とくにカセットの外側壁の剛性が高まり、外ケース内を真空引きして負圧にした場合に、外部から外ケースに加わる大気圧を上記カセットの外側壁の剛性によって受けることが可能になる。またチャッキングアームでカセットをクランプした場合に、カセットに加わる幅方向の力を受けることが可能になる。従ってカセットの外側壁の部分が幅方向内側へ変形するのが防止され、カセット内に保持されている複数の記憶ディスクがカセットの幅方向に力を受けることが防止され、記憶ディスクの変形が防止される。
【００１０】
なお本発明において記憶ディスクとは、ハードディスク等の完成品としての記憶ディスクのみならず、このような記憶ディスクを製作するためのアルミニウム基板、ガラス基板等の記憶ディスクの中間製品をも含むものとする。
【００１１】
【発明の実施の形態】
図１は本発明の一実施の形態に係る記憶ディスク収納ケースの全体を示すものであって、この記憶ディスク収納ケースはその内側に位置するカセット１０と、このカセット１０を収納する上ケース１１と下ケース１２とから成る外ケースとによって構成される。上記カセット１０内には例えば２５枚のハードディスク１５がそれらの軸線を互いに一致した状態で収納するようにしている。なおハードディスク１０は中心孔１６を備え、この中心孔１６によって外部からのロボットハンドによるアクセスを可能にしている。
【００１２】
次に外ケースの下ケースの構成について図５および図８によって説明する。下ケース１２は内側が凹部になっておりかつ上面が開放された細長い箱形のケースであって、その開口の周縁部にはフランジ１９が形成されるとともに、このフランジ１９の上面には突条２０が形成されている。また下ケース１２の軸線方向の両端側の側壁部分はそれぞれ半円形の切込み２１を備えている。そしてこれらの切込み２１の外側縁にリブ２２が外周側に突出するように形成されている。また下ケース１２の下面であって上記半円形の切込み２１の下側には階段状の凹部２３が形成されている。また上記半円形の切込み２１の上端にはその両側にそれぞれ突片２４が形成されている。
【００１３】
次に上記下ケース１２と組合わされて外ケースを構成する上ケース１１について図６および図７によって説明する。上ケース１１は下部が開放されて上面が閉塞された細長い箱形の容器である。そしてこのような容器の開口の周縁部にはフランジ２７が形成されるとともに、このフランジ２７には条溝２８が形成されている。また上ケース１１の軸線方向の両端の側壁には半円形の切込み２９が形成されている。これらの切込み２９は上記下ケース１２の半円形の切込み２１と整合し、これによって上下のケース１１、１２を組合わせたときに円形の開口を両側端に形成するようにしている。そしてこのような円形の切込みによって、ハードディスク１５の中心孔１６に対するアクセスを可能にするものである。
【００１４】
上記上ケース１１の半円形の切込み２９の外側縁にはリブ３０が形成されている。また半円形の切込み２９の上側であって短辺側の側板の上部には階段状の凹部３１が形成されている。この階段状の凹部３１の互いに対向する両側にはそれぞれヒンジピン３２が植設されている。
【００１５】
次に上下ケース１１、１２から成る外ケースの半円形の切込み２１、２９を整合して成る円形の開口を閉塞するためのキャップ３５について図９および図１０により説明する。キャップ３５は上記円形の開口を塞ぐように上記円形の開口よりも一回り大きな円形の形状をなしている。そしてその周縁部にはリブ３６が形成され、このリブ３６が下ケース１２のリブ２２および上ケース１１のリブ３０とそれぞれ係合される。またキャップ３５の上端には取付けアーム３７が連設され、この取付けアーム３７の両側にそれぞれピン孔３８が形成されている。このピン孔３８が上記上ケース１１の階段状の凹部３１のヒンジピン３２と係合し、これによってキャップ３５が上ケース１１に回動可能に取付けられる。
【００１６】
またキャップ３５は下方に突出するように突出片３９を一体に備えている。そしてこの突出片３９の内側に爪４０が形成されている。爪４０は上記下ケース１２の階段状凹部２３の下面と係合し、これによって上下のケース１１、１２を互いに閉じた状態でロックするようになっている。
【００１７】
次にカセット１０内のハードディスク１５を上から押える押え部材４３について図１１により説明する。押え部材４３はハードディスク１５の配列方向に細長く延びる成形体であって、その両側にはそれぞれのハードディスク１５の上端の外周縁を押える押え片４４が形成されている。押え片４４の先端側には円弧状押圧部４５が連設され、この押圧部４５によってハードディスク１５の外周縁を押えるようになっている。
【００１８】
また押え部材４３にはその上面に３本のピン４６が連設されるとともに、ピン４６間には突条４７が形成されている。上記ピン４６は図６および図７Ｂに示す上ケース１１の内側に形成されている軸線方向に延びる凹部４８内の筒状係止部４９によって係止されるようになっている。このような係止によって押え部材４３が上ケース１１内に取付けられる。
【００１９】
次に図１２および図１３によってハードディスク１５を収納するカセット１０の構造について説明する。カセット１０は上部と下部とがともに開放された細長い枠体から構成されており、その長辺側の両側壁の内側には収納されるハードディスク１５の数よりも１つだけ多い数のリブ５２が形成され、リブ５２間が案内溝５３になっている。そして案内溝５３によってハードディスク１５の周縁部を受入れて保持するようになっている。
【００２０】
またカセット１０はその軸線方向の両側にそれぞれＵ字状の切込み５４を備えている。これらの切込み５４の周縁部はリブ５５になっており、しかもリブ５５の外側には垂直リブ５６が形成されている。また垂直リブ５６の下端と連続するように、このカセット１０の両側壁の軸線方向の両端にはそれぞれ水平リブ５７が形成されている。
【００２１】
さらにこのカセット１０はその長辺側の両外側壁の表面であって軸線方向の中間位置に１０個の縦溝６０を備えている。そして縦溝６０間が縦リブ６１になっている。なお縦リブ６１の上端とほぼ近接または連続するようにこのカセット１０の上部開口の周縁部であってその外側には横リブ６２がその長さ方向の全長に亘って形成されている。上記縦溝６０によって形成される縦リブ６１と横リブ６２とがこのカセットに対して、とくにその幅方向の変形を防止して高い剛性を与える機能をもっており、カセット１０内に収納されたハードディスク１５に対する側方からの力を解消するためのものである。
【００２２】
このような記憶ディスク収納ケースにおいて、複数の、例えば２５枚のハードディスク１５はカセット１０のそれぞれの案内溝５３内に受入れられた状態で図１、図２Ｂ、および図３Ｂに示すように保持される。そしてハードディスク１５を保持したカセット１０が下ケース１２内に収納される。そしてその上に上ケース１１を装着する。
【００２３】
ここで下ケース１２のフランジ１９の突条２０が上ケース１１のフランジ２７の条溝２８に係合される。また上下のケース１１、１２の半円形の切込み２９、２１が整合して両端に円形の開口が形成される。この円形の開口はヒンジピン３２によって上ケース１１に回動可能に取付けられたキャップ３５によって閉塞される。キャップ３５のリブ３６が上下のケース１１、１２の半円形の切込み２９、２１のリブ３０、２２と係合する。さらにキャップ３５の突出片３９の爪４０が下ケース１２の階段状凹部２３に係合される。従って両側のキャップ３５が上下ケース１１、１２のロック手段を構成するようになる。
【００２４】
このようにカセット１０内にハードディスク１５を収納し、さらに上下ケース１１、１２から成る外ケースに収納されることによってハードディスク１５の保管あるいは運搬が行なわれる。また外ケースから取出して、カセット１０を図４に示すように上下に何段にも積重ねることができる。すなわちカセット１０の上段に別のカセット１０を載置すると、上段のカセット１０の水平リブ５７が下段のカセット１０の上縁によって受けられ、これによって積重ねたときに安定に保持される。しかも上記カセット１０の水平リブ５７よりも突出した部分が下側のカセット１０の内側に侵入するために、横方向にずれ難くなり、崩れることが防止される。
【００２５】
このようなカセット１０はとくにその外側壁の外表面であってその長さ方向の中間位置に縦溝６０と縦リブ６１とを形成するとともに、縦リブ６１の上方に連続または近接して長さ方向の全長に横リブ６２を形成している。これは図２に示すようにカセット１０を外ケース内に収納して真空引きした場合に、大気圧がとくに長辺側の部分に幅方向に働くからである。図１２において矢印６５で示す方向に大気圧によって内側に力が加わる。これによってカセット１０はその中間部分が幅が狭くなるように変形し易くなる。カセット１０をチャッキングアームで直接保持した場合も同様の変形力を受ける。ところが上記カセット１０の縦溝６０、縦リブ６１、および横リブ６２の組合わせによってこのカセット１０の外側壁の剛性が高くなって変形が防止される。
【００２６】
またカセット１０は図１２に示す矢印６５の力によってその長さ方向の中間位置が幅方向に変形し易くなる。そこでこのカセット１０はとくに矢印６５で示す部分の幅を切込み５４が形成されている両端側よりもやや広く、例えばその幅方向の寸法を１〜５％広く成形している。従って矢印６５で示す力が加わって内側に変形しても、カセット１０内のハードディスク１５に対して矢印６５の方向、すなわちカセット１０の幅方向の力を与えることがなくなる。従ってハードディスク１５が変形することが防止される。ハードディスク１５が変形すると使用時に面振れを起し、ヘッドとの間でのクリアランスが均一に保てなくなるために、不良品になる。ところがこのような不良品の発生が上記のカセット１０の構造によって防止される。
【００２７】
以上本願に含まれる発明を図示の実施の形態によって説明したが、本願に含まれる発明は上記実施の形態によって限定されることなく、本願に含まれる発明の技術的思想の範囲内において各種の変更が可能である。例えば上記実施の形態はハードディスク１５の収納ケースに関するものであるが、本願発明はその他各種の記憶ディスクの収納ケースとして広く適用可能である。またカセット１０の長さ方向の中間位置に形成されている縦リブ６１と横リブ６２とから成る補強構造は、必ずしもこの構造に限定されることなく、発明の技術的思想の範囲内で他の任意の構造に適宜変更可能である。
【００２８】
【発明の効果】
本願の主要な発明は、複数の記憶ディスクをそれらの軸線が互いにほぼ一致するように所定の間隔でカセット内に保持するとともに、カセットを外ケース内に収納するようにした記憶ディスク収納ケースにおいて、カセットの記憶ディスクの軸線方向と平行な外側壁の内表面上に該外側壁の内側から内方に突出して、収納される最大数の記憶ディスクの数よりも１つだけ多いリブを記憶ディスクの直径方向と平行に形成し、該リブ間が案内溝となり、該案内溝によって記憶ディスクの周縁部を受入れて保持するようになし、カセットの外側壁であって記憶ディスクの軸線方向の中間位置が該カセットの幅方向に変形するのを防止するために外側壁の中間位置の外表面上に記憶ディスクの直径と平行であって縦方向に延びる複数の縦溝を形成し、該縦溝間を縦リブとし、カセットの上部開口の周縁部の外側に横リブを形成するとともに、縦リブの上端を横リブと近接または連続させ、カセットの外側壁の縦リブが形成された中間部の幅方向の寸法を両端側の幅方向の寸法より大きくしたものである。
【００２９】
従ってこのような記憶ディスク収納ケースによれば、カセットの外側壁であって記憶ディスクの軸線方向の中間位置に設けられている縦リブによってカセットのとくに軸線方向の中間位置の剛性が高くなり、カセットが幅方向内側に変形することが防止される。これによってカセット内に収納される記憶ディスクの変形を防止できるようになり、不良品の発生を防止することが可能になる。
【図面の簡単な説明】
【図１】記憶ディスク収納ケースの全体の構成を示す分解斜視図である。
【図２】同組立てた状態の側面図および縦断面図である。
【図３】同組立てた状態の正面図および縦断面図である。
【図４】カセットを２段に積重ねた状態を示す正面図である。
【図５】外ケースの平面図および断面図である。
【図６】上ケースの底面図および断面図である。
【図７】上ケースの正面図および断面図である。
【図８】下ケースの正面図および断面図である。
【図９】キャップの平面図である。
【図１０】キャップの正面図および縦断面図である。
【図１１】押え部材の平面図、側面図および断面図である。
【図１２】カセットの平面図および断面図である。
【図１３】同カセットの正面図および断面図である。
【符号の説明】
１０  カセット
１１  上ケース
１２  下ケース
１５  ハードディスク
１６  中心孔
１９  フランジ
２０  突条
２１  半円形の切込み
２２  リブ
２３  階段状凹部
２４  突片
２７  フランジ
２８  条溝
２９  半円形の切込み
３０  リブ
３１  階段状凹部
３２  ヒンジピン
３５  キャップ
３６  リブ
３７  取付けアーム
３８  ピン孔
３９  突出片
４０  爪
４３  押え部材
４４  押え片
４５  円弧状押圧部
４６  ピン
４７  突条
４８  凹部
４９  筒状係止部
５２  リブ
５３  案内溝
５４  Ｕ字状切込み
５５  リブ
５６  垂直リブ
５７  水平リブ
６０  縦溝
６１  縦リブ
６２  横リブ
６５  矢印（力）
【図１】
0003761021.tif 000002
【図２】
0003761021.tif 000003
【図３】
0003761021.tif 000004
【図４】
0003761021.tif 000005
【図５】
0003761021.tif 000006
【図６】
0003761021.tif 000007
【図７】
0003761021.tif 000008
【図８】
0003761021.tif 000009
【図９】
0003761021.tif 000010
【図１０】
0003761021.tif 000011
【図１１】
0003761021.tif 000012
【図１２】
0003761021.tif 000013
【図１３】
0003761021.tif 000014